(57)【要約】  【課題】  視覚障害者がマウスを使用してパーソナルコンピュータを操作する場合に、ポインタが画面のどの辺りに位置しているかを容易に把握できるようにする。  【解決手段】  マウス本体１０に複数のピン２０をマトリックス状に配置する。各ピン２０の上端部をマウス本体１０の外部に突出させる。マウス本体１０の内部にバイモルフ型の圧電素子を設け、この圧電素子にピン２０の下端部を固定する。圧電素子に電圧を印加する制御基板をマウス本体１０の内部に設ける。複数のピン２０のうち、パーソナルコンピュータから出力されるポインタの位置情報に対応するピン２０が固定された圧電素子に電圧を印加し、そのピン２０を軸方向に変位させる。【選択図】      図１
2006172374.tif 000002
【特許請求の範囲】
【請求項１】
画面に表示された情報に該画面上で指示点を重ねることにより、該情報を視覚障害者に伝達可能な形態に変換するように構成されたコンピュータ装置に接続されるコンピュータ装置用マウスであって、
マウス本体と、該マウス本体にマトリックス状に配置され一端部がマウス本体の外部に臨む複数本のピンと、該各ピンを軸方向に変位させるピン駆動手段とを備え、
上記ピン駆動手段は、上記コンピュータ装置から出力される画面上の指示点の位置情報に基づいて、上記複数本のピンのうち指示点の位置情報に対応するピンを変位させるように構成されていることを特徴とするコンピュータ装置用マウス。
【請求項２】
請求項１に記載のコンピュータ装置用マウスにおいて、
マウス本体にはクリック用ボタンが設けられ、
ピンの一端部は、上記クリック用ボタンの近傍に配置されていることを特徴とするコンピュータ装置用マウス。
【請求項３】
請求項１または２に記載のコンピュータ装置用マウスにおいて、
ピン駆動手段は、マウス本体に取り付けられた圧電素子と、該圧電素子に電圧を印加する圧電素子制御部とを備え、
ピンは、上記圧電素子に対し該圧電素子のマウス本体への取付部から離れた部位に固定されていることを特徴とするコンピュータ装置用マウス。
【請求項４】
請求項１または２に記載のコンピュータ装置用マウスにおいて、
ピン駆動手段は、一端部がマウス本体に取り付けられた圧電素子と、該圧電素子に電圧を印加する圧電素子制御部とを備え、
ピンが上記圧電素子の他端部で構成されていることを特徴とするコンピュータ装置用マウス。
【請求項５】
請求項３または４に記載のコンピュータ装置用マウスにおいて、
圧電素子制御部は、電圧を周期的に変化させて圧電素子に印加するように構成されていることを特徴とするコンピュータ装置用マウス。
【発明の詳細な説明】
【技術分野】
【０００１】
本発明は、コンピュータ装置に接続されるマウスに関する。
【背景技術】
【０００２】
一般に、例えばパーソナルコンピュータ等のコンピュータ装置には、該コンピュータ装置を操作するためのマウスが接続されている。このマウスには、座標位置を検出する座標位置検出器が設けられており、この座標位置検出器で検出された座標位置情報はコンピュータ装置に連続的に送られる。該コンピュータ装置は、送られてきた座標位置情報に基づいて画面上で指示点としてのポインタを移動させるように構成されており、操作者は画面のポインタを見ながらコンピュータ装置を操作することができるようになっている。
【０００３】
上記のように一般のコンピュータ装置は画面を見ながら操作するものなので、視覚に障害を持った視覚障害者にとっては使いづらい。そこで、視覚障害者による文字等の情報の入力操作をサポートするコンピュータ装置が開発されて用いられている（例えば、特許文献１参照）。この特許文献１のコンピュータ装置では、マウスやペンタブレット等を用いて情報を手書き入力することができるようになっている。このコンピュータ装置を視覚障害者が利用することにより、例えばＷｅｂページ作成ソフト等の様々なソフトウエアを使用することが可能になる。
【０００４】
また、視覚障害者向けのコンピュータ装置として、画面に表示されている情報を視覚障害者に伝達可能な形態に変換して伝えるコンピュータ装置がある（例えば、特許文献２参照）。この特許文献２のコンピュータ装置は、視覚障害者がマウスを移動させて画面上のポインタを該画面に表示されている情報に重ねるとその情報を音声に変換して視覚障害者に伝えるように構成されている。従って、特許文献２のコンピュータ装置によれば、マウスによりポインタを例えば画面左端に位置付けた状態から右側へ移動させていき、ポインタが情報に重なると該情報が読み上げられるので、視覚障害者は、情報が画面の左端からどのくらい離れた位置にあるかをマウスの移動距離に基づいて把握することが可能になる。また、同様に、ポインタをマウスにより画面上端から下側へ移動させていくことで情報が画面の上端からどのくらい離れた位置にあるかも把握することが可能になる。
【特許文献１】特開２００３−３２３５８７号公報（第３頁）
【特許文献２】特開平９−２８２１３８号公報（第３頁）
【発明の開示】
【発明が解決しようとする課題】
【０００５】
しかしながら、特許文献２のコンピュータ装置では、画面に情報が表示されている場合には、上記のようにして画面上における情報の位置を把握することでポインタの現在位置も把握することができるが、画面に情報が表示されていない場合には、ポインタの現在位置を把握することができない。
【０００６】
加えて、特許文献２のコンピュータ装置で画面上における情報の位置を把握するためには、該情報に重ねているポインタを該情報から一旦外した後、画面の端から反対側の端に向かって移動させる必要があるので、視覚障害者は、情報の内容と該情報の画面上における位置とを同時に把握することができない。
【０００７】
従って、視覚障害者が例えばＷｅｂページを作成する場合には、特許文献１のコンピュータ装置を用いることで個々の情報を入力することはできるものの、それら入力した情報をＷｅｂページ上の狙いとする位置にそれぞれ配置するのが難しい。また、Ｗｅｂページを閲覧する場合には該Ｗｅｂページ上のどこにどのような情報が配置されているのかがよく分からずにＷｅｂページの全体イメージがなかなかつかめない。このように、特許文献１、２のコンピュータ装置では、単に視覚障害者がソフトウエアを使用できるというだけであって、ソフトウエアを有効に活用することはできない。
【０００８】
本発明は斯かる点に鑑みてなされたものであり、その目的とするところは、視覚障害者がマウスを使用してコンピュータ装置を操作する場合に、指示点が画面上のどの辺りに位置しているかを把握できるようにして、ソフトウエアを有効に活用できるようにすることにある。
【課題を解決するための手段】
【０００９】
上記目的を達成するために、本発明では、マウス本体にマトリックス状に複数本のピンを設け、該ピンのうち、コンピュータ装置から出力される画面上の指示点の位置情報に対応するピンを軸方向に変位させるようにした。
【００１０】
具体的には、請求項１の発明では、画面に表示された情報に該画面上で指示点を重ねることにより、該情報を視覚障害者に伝達可能な形態に変換するように構成されたコンピュータ装置に接続されるコンピュータ装置用マウスを対象とする。
【００１１】
そして、マウス本体と、該マウス本体にマトリックス状に配置され一端部がマウス本体の外部に臨む複数本のピンと、該各ピンを軸方向に変位させるピン駆動手段とを備え、上記ピン駆動手段は、上記コンピュータ装置から出力される画面上の指示点の位置情報に基づいて、上記複数本のピンのうち指示点の位置情報に対応するピンを変位させるように構成する。
【００１２】
この構成によれば、視覚障害者がマウスを操作面上で移動させて、例えば、指示点が画面の左下に位置した場合には、この位置情報をマウスがコンピュータ装置から受け取り、マトリクス状に配置されたピンのうち、視覚障害者側から見たときに左側手前に位置しているピンをピン駆動手段により軸方向に変位させることが可能になる。このように視覚障害者はピンに触れているだけで指示点が画面上のどの辺りに位置しているかを把握することが可能になる。従って、視覚障害者は、画面に情報が表示されていない場合でも指示点の現在位置を容易に把握することが可能になるとともに、Ｗｅｂページ作成ソフトや閲覧ソフト等を使用する際には、指示点を画面上で情報に重ねたまま移動させることなく、該情報の画面上における位置を内容と共に把握することが可能になる。
【００１３】
請求項２の発明では、請求項１の発明において、マウス本体にはクリック用ボタンが設けられ、ピンの一端部は、上記クリック用ボタンの近傍に配置されている構成とする。
【００１４】
この構成によれば、視覚障害者は、クリック用ボタンを操作する指を大きく動かすことなくピンに触れることが可能になるので、指示点の現在位置や情報の画面上における位置をより一層容易に把握することが可能になる。
【００１５】
請求項３の発明では、請求項１または２の発明において、ピン駆動手段は、マウス本体に取り付けられた圧電素子と、該圧電素子に電圧を印加する圧電素子制御部とを備え、ピンは、上記圧電素子に対し該圧電素子のマウス本体への取付部から離れた部位に固定されている構成とする。
【００１６】
この構成によれば、圧電素子制御部により圧電素子に電圧が印加されると該圧電素子が変形するので、該圧電素子のマウス本体への取付部から離れた部位が該マウス本体に対して変位し、これにより、ピンが軸方向に変位する。このとき、圧電素子は電圧を印加してから変形するまでの応答速度が速いので、ピンを素早く変位させることが可能になる。
【００１７】
請求項４の発明では、請求項１または２の発明において、ピン駆動手段は、一端部がマウス本体に取り付けられた圧電素子と、該圧電素子に電圧を印加する圧電素子制御部とを備え、ピンが上記圧電素子の他端部で構成されているものとする。
【００１８】
この構成によれば、請求項３の発明と同様にピンを素早く変位させることが可能になる。また、圧電素子の一部でピンを構成しているので、部品点数が削減されるとともに、製造に要する時間が短縮される。
【００１９】
請求項５の発明では、請求項３または４の発明において、圧電素子制御部は、電圧を周期的に変化させて圧電素子に印加するように構成する。
【００２０】
この発明によれば、圧電制御部により圧電素子に電圧が印加されると、該圧電素子の変形が周期的に起こり、ピンは軸方向へ振動する。ピンを振動させることで、視覚障害者にとってはピンが変位しているのが分かり易くなる。その結果、ピンが変位していることを視覚障害者に認識させるのに必要なピンの変位量が小さくてすみ、小型の圧電素子を使用することが可能になる。
【発明の効果】
【００２１】
請求項１の発明によれば、マウス本体にマトリックス状に配置したピンのうち、コンピュータ装置から出力される画面上の指示点の位置情報に対応するピンを軸方向に変位させるようにしたので、視覚障害者が、画面上における指示点の現在位置を把握することができるとともに、画面に表示された情報の内容と該情報の位置とを同時に把握することができ、これにより、ソフトウエアを有効に活用することができる。
【００２２】
請求項２の発明によれば、ピンの一端部をクリック用ボタンの近傍に配置したので、視覚障害者がマウスを使用する際の利便性を高めることができる。
【００２３】
請求項３の発明によれば、圧電素子に電圧を印加してピンを軸方向に変位させるようにしたので、マウスを速く移動させた際に該マウスの動きにピンの変位を追従させることができる。
【００２４】
請求項４の発明によれば、マウスを速く移動させた際にピンの変位を追従させることができる。また、ピンを圧電素子の一部としたため、コストを低減することができる。
【００２５】
請求項５の発明によれば、圧電素子に印加する電圧を周期的に変化させてピンを軸方向に振動させるようにしたので、小型の圧電素子を使用してピン駆動手段を構成することができて、マウスをコンパクトに構成することができる。
【発明を実施するための最良の形態】
【００２６】
以下、本発明の実施形態を図面に基づいて詳細に説明する。
【００２７】
《実施形態１》
図１は、本発明の実施形態１に係るコンピュータ装置用マウス１を示すものである。このマウス１は、コンピュータ装置としてのパーソナルコンピュータ２に接続されるものである。
【００２８】
この実施形態の説明では、マウス１の構成を説明する前に、まず、上記パーソナルコンピュータ２の構成を説明する。このパーソナルコンピュータ２は、図２に示すように、画面３を有するディスプレイ部４と、記憶装置やＣＰＵ等（共に図示せず）を内蔵した本体部５とを備えている。本体部５には、キーボード６が設けられるとともに、ペンタブレット等の入力支援機器（図示せず）が接続されている。
【００２９】
上記記憶装置には、Ｗｅｂページ作成ソフトや文書作成ソフト、音声読み上げソフト等が予め記憶されている。音声読み上げソフトは、一般に視覚障害者に利用されている周知のものである。そして、例えば、Ｗｅｂページ作成ソフトを使用する場合には、該ソフトを立ち上げるとともに、音声読み上げソフトも立ち上げておく。上記ペンタブレットから文字や図形等の情報を入力すると、該情報が画面３に表示され、操作者が操作面上でマウス１を操作して画面３上のポインタＰを該画面３に表示されている情報に重ねると、該ポインタＰが重なった情報が音声読み上げソフトによって音声に変換されてパーソナルコンピュータ２のスピーカ等から出力される。つまり、上記パーソナルコンピュータ２は、画面に表示された情報を視覚障害者に伝達可能な形態に変換して該視覚障害者に伝えるように構成されている。また、このパーソナルコンピュータ２の本体部５には、ＵＳＢ（ユニバーサル・シリアル・バス）ポート７が設けられている。
【００３０】
上記マウス１は、図１にも示すように、操作者が把持する略矩形箱状のマウス本体１０と、該マウス本体１０の内部に収容された制御基板１１及び座標位置検出器（図示せず）とを備えている。この座標位置検出器としては、従来から用いられている光学式のものやトラックボールを備えたものを使用することができる。符号９は、上記ＵＳＢポート７に接続する接続線である。尚、この実施形態の説明では、説明の便宜を図るために、マウス１を操作可能な状態で操作面上に置いた際に、操作者の左側になる方を左側といい、また、操作者の右側になる方を右側といい、また、操作者から遠い側を前側といい、さらに、操作者から近い側を後側という。
【００３１】
マウス本体１０の上壁部における前部には、左クリック用ボタン１２及び右クリック用ボタン１３が左右方向に間隔をあけて配設されている。また、図３にも示すように、マウス本体１０の上壁部には、左クリック用ボタン１２及び右クリック用ボタン１３の間に矩形の凹部１４が形成されている。この凹部１４の底面には、左右方向及び前後方向に略等間隔にマトリックス状に合計１６個の貫通孔１５が形成されている。尚、図３の仮想線は操作者の指を示している。
【００３２】
マウス本体１０は、上記貫通孔１５にそれぞれ挿通される合計１６本のピン２０を備えている。つまり、これらピン２０はマトリックス状に配置されることになる。上記各ピン２０は上下方向に延びており、上端部は上記貫通孔１５から僅かに突出して凹部１４内に位置しマウス本体１０の外部に臨んでいる。
【００３３】
また、上記マウス本体１０は、ピン２０を軸方向に変位させるバイモルフ型の圧電素子２１をピン２０毎に備えている。図４に示すように、各圧電素子２１は、全体として略矩形板状に形成されるとともに略水平に延びるように配置され、一端部がマウス本体１０のベース部材２２に取り付けられている。この圧電素子２１は、ピエゾ効果を持つ材料、即ち電圧の印加によって機械的歪みを起こす材料である圧電セラミックス製の上側セラミックス板２３及び下側セラミックス板２４と、これらセラミックス板２３、２４の間に配置される１枚の金属薄板２５とで構成されている。上記セラミックス板２３、２４には、それぞれ、両面に導電層（図示せず）が設けられている。このセラミックス板２３、２４の導電層が金属薄板２５に接合されてセラミックス板２３、２４と金属薄板２５とは一体化されている。符号２６は絶縁体を示している。
【００３４】
上記各セラミックス板２３、２４の導電層と金属薄板２５には、電極２３ａ、２４ａ、２５ａがそれぞれ設けられている。また、上記ピン２０の下端部は、圧電素子２１の他端部の上面に固定されており、ピン２０は圧電素子２１におけるマウス本体１０への取付部から離れている。
【００３５】
上記制御基板１１は、図５に示すように、ＣＰＵ３０と、ＵＳＢコントローラ３１と、上記圧電素子２１のドライバ３２とを備えている。ＣＰＵ３０はＵＳＢコントローラ３１に対して信号の入出力が可能に接続され、ドライバ３２に対して信号の出力が可能に接続されている。ＵＳＢコントローラ３１はパーソナルコンピュータ２との間で互いに信号の入出力が可能に構成されている。また、ドライバ３２には各圧電素子２１の電極２３ａ、２４ａ、２５ａが接続されている。さらに、制御基板１１は、ＣＰＵ３０及びＵＳＢコントローラ３１をリセットするリセットＩＣ３３と、所定のクロック周波数を持った発振器３４と、ＵＳＢバスパワーを昇圧する昇圧回路３５とを備えている。
【００３６】
上記ＣＰＵ３０には、画面３上のどこにポインタＰが位置しているかを示すポインタＰの位置情報がパーソナルコンピュータ２からＵＳＢコントローラ３１を介して入力されるようになっている。上記ＣＰＵ３０は、電圧を印加する圧電素子２１をポインタＰの位置情報に基づいて得て制御信号を生成し、該制御信号をドライバ３２に出力するように構成されている。すなわち、ＣＰＵ３０は、画面３をピン２０の本数と同じ１６個のエリアに仮想的に等分割しておき、そのうちのどのエリアにポインタＰが位置しているかをポインタＰの位置情報により求め、該エリアに対応するピン２０が固定された圧電素子２１を得るようになっている。上記制御信号は、上記のようにして得た圧電素子２１に電圧を印加させる信号である。
【００３７】
また、ＣＰＵ３０は、隣接するエリアの境界近傍にポインタＰが位置している場合には、その２つのエリアに対応する２本のピン２０が固定された２つの圧電素子２１にそれぞれ電圧を印加させる制御信号を生成するようになっている。
【００３８】
上記ドライバ３２は、ＣＰＵ３０から出力される制御信号に基づいて各々の圧電素子２１の両セラミックス板２３、２４に別々に電圧を印加するように構成されている。この各圧電素子２１の両セラミックス板２３、２４に印加される電圧は、上記発振器３４及び昇圧回路３５により、一定の周期で変化するようになっている。
【００３９】
つまり、ドライバ３２により上側セラミックス板２３に電圧が印加されると、該セラミックス板２３が上方へ湾曲するように変形してピン２０が上方へ変位し、この電圧が弱まるとセラミックス板２３が元の形状に戻りピン２０も元の位置となる。一方、下側セラミックス板２４に電圧が印加されると、該セラミックス板２４が下方へ湾曲するように変形してピン２０が下方へ変位し、この電圧が弱まるとセラミックス板２４が元の形状に戻りピン２０も元の位置となる。従って、上下両セラミックス板２３、２４に印加する電圧を周期的に変化させることで圧電素子２１の他端側を振動させることが可能となり、この圧電素子２１の振動により、ピン２０が軸方向に振動する。このピン２０のストローク量は、該ピン２０が振動していることを視覚障害者が指先で十分に認識できる程度に設定されている。また、ピン２０は振動中に上端部が凹部１４の底面よりも上方に位置している。
【００４０】
この実施形態では、上記圧電素子２１及び制御基板１１が本発明のピン駆動手段３６（図２に示す）を構成しており、また、ＣＰＵ３０、ドライバ３２、発振器３４及び昇圧回路３５が本発明の圧電素子制御部３７（図５に示す）を構成している。
【００４１】
次に、上記のように構成されたマウス１を視覚障害者が使用する場合について説明する。視覚障害者がマウス１を移動させ、画面３上のポインタＰが該画面３の例えば左端の下端部に位置すると、このポインタＰの位置情報が入力されたマウス１のＣＵＰ３０は、１６本のピン２０のうち、凹部１４の左端かつ後端に位置しているピン２０が固定された圧電素子２１に電圧を印加させる制御信号をドライバ３２に出力する。この制御信号は、ポインタＰが他のエリアに移るまで出力され、他のエリアに移ると停止される。この制御信号を受けたドライバ３２は、上記圧電素子２１に電圧を印加する。電圧が印加された圧電素子２１は振動し、これにより、凹部１４の左端かつ後端に位置するピン２０が軸方向に振動する。尚、図３は、凹部１４の左端かつ後端に位置するピン２０が上方へ変位した状態を示している。
【００４２】
そして、視覚障害者がマウス１を例えば右側へ移動させ、画面３上のポインタＰが該画面３における右端の下端に位置すると、このポインタＰの位置情報が入力されたマウス１のＣＰＵ３０は、凹部１４の右端かつ後端に位置しているピン２０が固定された圧電素子２１に電圧を印加させる制御信号をドライバ３２に出力する。これにより、凹部１４の右端かつ後端に位置しているピン２０が振動する。ポインタＰが画面の左端から右端へ移動する際に隣接するエリアの境界近傍に位置すると、その２つのエリアに対応する２本のピン２０が軸方向に振動する。
【００４３】
以上説明したように、この実施形態に係るコンピュータ用マウス１によれば、マウス本体１０にマトリックス状に１６本のピン２０を配置し、これら１６本のピン２０のうち、パーソナルコンピュータ２から出力されるポインタＰの位置情報に対応するピン２０を軸方向に振動させるようにしたので、視覚障害者は、ピン２０に触れているだけでポインタＰが画面３のどの辺りに位置しているかを把握することができる。これにより、画面３上に情報が表示されていない場合でもポインタＰの現在位置を容易に把握することができるとともに、Ｗｅｂページ作成ソフト等を使用する際に、ポインタＰを画面３上で情報に重ねたまま移動させることなく、該情報の画面３上における位置を該情報の内容と共に把握することができて、ソフトウエアを有効に活用することができる。
【００４４】
また、ピン２０の上端部を左右のクリック用ボタン１２、１３の間に配置しているので、視覚障害者は、クリック用ボタン１２、１３を操作する指を大きく動かすことなくピン２０に触れることができる。これにより、ポインタＰの現在位置や画面３上における情報の位置をより一層容易に把握することができて、視覚障害者がマウス１を使用する際の利便性を高めることができる。
【００４５】
また、圧電素子２１に電圧を印加してピン２０を軸方向に変位させるようにしたので、ピン２０を素早く変位させることができる。これにより、マウス１を速く移動させた際に該マウス１の動きにピン２０の変位を追従させることができる。
【００４６】
また、圧電素子２１に印加する電圧を周期的に変化させてピン２０を軸方向に振動させるようにしたので、ピン２０が変位しているのを分かり易くすることができる。その結果、ピン２０が変位していることを視覚障害者に認識させるのに必要なピン２０の変位量が小さくてすむ。これにより、小型の圧電素子２１を使用することができて、マウス１をコンパクトに構成することができる。
《実施形態２》
図６は本発明の実施形態２に係るものである。この実施形態２のマウス１は、実施形態１のものと圧電素子２１及びピン２０の構成が異なるだけで他の部分は同じであるため、以下、同じの部分には同じ符号を付して説明を省略し、異なる部分を詳細に説明する。
【００４７】
この実施形態２では、圧電素子２１が、セラミックスを上下方向に積層した積層セラミックス型のもので構成されている。この圧電素子２１の形状は上記実施形態１のピン２０と略同じ形状とされ、上端部がマウス本体１０の貫通孔１５から突出して外部に臨み、下端部はベース部材２２に固定されている。この圧電素子２１の上端部により本発明のピン２０が構成されており、圧電素子２１とピン２０とが一体とされている。上記圧電素子２１の上端部及び下端部に電極２１ａ、２１ｂがそれぞれ設けられている。圧電素子２１に電圧を印加すると、該圧電素子２１が上下方向に伸縮して、ピン２０が軸方向に振動する。
【００４８】
したがって、この実施形態２のマウス１によれば、実施形態１と同様な作用効果を得ることができる。
【００４９】
また、圧電素子２１とピン２０とを一体にしたので、部品点数を削減できるとともに製造に要する時間を短縮できて、コストを低減することができる。
【００５０】
尚、上記実施形態１、２では、圧電素子２１を用いてピン２０を軸方向に変位させるようにしているが、これに限らず、例えばソレノイドやモータ等を用いてもよい。また、ポインタの位置情報に対応するピン２０を振動させることなく、該ピン２０を他のピン２０よりも突出させて所定時間保持するようにしてもよいし、他のピン２０よりも引っ込めて所定時間保持するようにしてもよい。このときの所定時間は、視覚障害者がピン２０の変位を感じ取ることができる時間である。
【００５１】
また、ピン２０の数は１６本に限られるものではなく、１６本よりも少なくしても多くしてもよい。
【００５２】
また、上記実施形態では、ポインタの位置情報に対応するピン２０をＣＰＵ３０で得るようにしているが、このポインタの位置情報に対応するピン２０は、パーソナルコンピュータ２側で得てから制御信号を生成し、該制御信号をマウス１のＣＰＵ３０に入力させるようにしてもよい。
【００５３】
また、上記実施形態では、画面３に表示された情報を音声に変換して視覚障害者に伝える場合について説明したが、画面３に表示された情報を点字信号に変換して伝えるようにしてもよい。この場合には、図示しないが、画面３上でポインタＰが重なった情報を点字に変換する点字変換ソフトをパーソナルコンピュータ２に導入するとともに、マウス本体１０に点字セルを配設する。
【００５４】
上記点字セルは、上記ピン２０と同様なピンが点字の点の配列に対応して配置され、各ピンを上記圧電素子２１と同様な圧電素子及びドライバにより軸方向に振動させるように構成されている。そして、パーソナルコンピュータ２からＣＰＵ３０に点字信号が入力されると、ＣＰＵ３０は、点字の点に対応するピンを振動させるようにドライバに信号を出力する。これにより、点字セルに点字が表示されるので、視覚障害者は点字セルに指を置いてマウス１を移動させるだけで画面３上の情報を得ることができる。
【００５５】
また、上記実施形態では、本発明のマウス１をパーソナルコンピュータ２と接続して使用する例について説明したが、このマウスは、市役所をはじめ、公共施設に設けられる情報端末に接続して使用するようにしてもよい。
【産業上の利用可能性】
【００５６】
以上説明したように、本発明に係るコンピュータ用マウスは、例えば、視覚障害者がパーソナルコンピュータを操作するのに適している。
【図面の簡単な説明】
【００５７】
【図１】本発明の実施形態１に係るマウスの斜視図である。
【図２】実施形態１のシステムの構成を示すブロック図である。
【図３】実施形態１のマウスの使用状態を説明する拡大図である。
【図４】実施形態１のマウスの圧電素子近傍を拡大して示す斜視図である。
【図５】制御基板の構成を示すブロック図である。
【図６】実施形態２の図４相当図である。
【符号の説明】
【００５８】
１          マウス
２          パーソナルコンピュータ（コンピュータ装置）
３          画面
１０        マウス本体
１２        左クリック用ボタン
１３        右クリック用ボタン
２０        ピン
２１        圧電素子
３６        ピン駆動手段
３７        圧電素子制御部
【図１】
2006172374.tif 000003
【図２】
2006172374.tif 000004
【図３】
2006172374.tif 000005
【図４】
2006172374.tif 000006
【図５】
2006172374.tif 000007
【図６】
2006172374.tif 000008